(57)【要約】【課題】部品点数を抑えながら、電動機の剛性を上げ、さらにネジを外した後でもそれだけでは落下に至らない固定部を有したエアカーテン装置を提供する。【解決手段】電動機７を背面板２に固定するための固定部６を備えたエアカーテン装置１であって、固定部６は、背面固定板Ａ２１と、背面固定板Ｂ２２と、突出部１２と、駆動部挿入開口１１と、電動機支持穴３１と、固定部支持穴３２とを備えている。固定部６は、背面固定板Ａ２１と背面固定板Ｂ２２の少なくとも一方に設けられた固定部支持穴３２を用いて背面板２に固定される固定部６を備えたエアカーテン装置１。【選択図】図３
2018071877.tif 000002
【特許請求の範囲】
【請求項１】
外郭と、
前記外郭の背面側に設けられた背面板と、
前記外郭に設けられた吸込口から吹出口に空気を導くファンと、
回転軸と当該回転軸を回転させる駆動部を有し前記ファンの一端に前記回転軸を接続して当該ファンを回転させる電動機と、
前記電動機を前記背面板に固定する固定部と、を備え、
前記固定部は、
板状の本体と、
前記本体の平面上に前記駆動部を挿入する挿入開口と、
前記平面に対して垂直かつ前記背面板と面平行に当該本体から起立する背面固定板Ａと、
前記本体を挟んで前記背面固定板Ａとは逆方向に前記平面に対して垂直かつ前記背面板と平行に当該本体から起立する背面固定板Ｂと、
前記背面固定板Ａ及び前記背面固定板Ｂよりも前記背面板方向に突出した鍵状の突出部とを備え、
前記背面板は、
前記突出部と係合する係合開口を備えたエアカーテン装置。
【請求項２】
前記固定部と前記背面板との固定は、
前記背面板上の固定位置よりも前記回転軸方向にずれた位置である仮固定位置にて前記係合開口に前記突出部を挿入し、
前記固定部を前記回転軸と平行方向にスライドさせた前記固定位置にて前記突出部と前記係合開口とを係合させる係合構造により行われる請求項１記載のエアカーテン装置。
【請求項３】
前記背面固定板Ａと前記背面固定板Ｂとは、
前記固定位置において前記突出部との間で前記背面板を挟持する請求項２に記載のエアカーテン装置。
【請求項４】
前記電動機は、
前記駆動部の左右方向に前記回転軸を有する両軸電動機であり、
前記ファンは、
前記電動機の両軸それぞれに設けられ、
前記固定部は、
前記回転軸を左右方向に配置した際における前記電動機の本体の左右方向の重心位置にて前記電動機を固定する請求項１から３のいずれかに記載のエアカーテン装置。
【請求項５】
前記固定位置は、
一方のファンの前記電動機が接続された端部とは逆の端部から前記電動機の本体の左右方向における中央部までの距離と他方のファンの前記電動機が接続された端部とは逆の端部から前記中央部までの距離とが等しい位置である請求項４記載のエアカーテン装置。
【請求項６】
前記ファンは、貫流ファンである請求項１から５のいずれかに記載のエアカーテン装置。
【請求項７】
前記ファンは、シロッコファンである請求項１から５のいずれかに記載のエアカーテン装置。
【発明の詳細な説明】
【技術分野】
【０００１】
本発明は、食品店やレストランの出入り口等に設置され、カーテン状の気流により外気を遮断するエアカーテンに関するものである。
【背景技術】
【０００２】
従来エアカーテン装置は、カーテン状の気流により外気を遮断することで、室内の冷暖房した熱を逃げにくくしたり、外部からの埃の進入を遮断したりするため、食料品店やレストランの出入り口等において使用される。
【０００３】
従来のエアカーテン装置における電動機の固定構造を図５と図６に示す。図５は当該エアカーテン装置の切断側面図であり、図６は電動機とその取付部材とを取出して示す分解斜視図である。
【０００４】
エアカーテン装置１１２は、外枠１０１内の中央部に電動機１０４を設け、その両側に羽根車１０５を設けてあり、この本体を取付金具１１１を介して壁面１１３に取付けられる。
【０００５】
電動機１０４は図６のような取付部材にて、外枠に固定してある。 電動機１０４の外被の両端部に軸受部を囲む突出部１１５を設けてある。
【０００６】
１１７はＵ字形に折曲け形成した第１の取付部材で、両端中央部に設けたＵ形の切欠部１１９の底部に、電動機１０４両端部の突出部１１５を嵌込んである。
【０００７】
１２０ａ，１２０ｂはＬ形に折曲げ形成した１対の第２の取付部材ａ、ｂで、その長辺中央部一側に設けた半円状の切欠部１０２で、第１の取付部材１１７のＵ形切欠部１１９に嵌込んである電動機１０４両端の突出部１１５をそれぞれ抜出さないように押えて、この第２の取付部材１２０ａ，１２０ｂの短辺部１２０ａ２，１２０ｂ２を外枠に固定している。
【先行技術文献】
【特許文献】
【０００８】
【特許文献１】実公昭６１−００２４３５号公報
【発明の概要】
【発明が解決しようとする課題】
【０００９】
このような従来のエアカーテン装置では、電動機の固定に必要な部品点数の増加に伴う作業工数の増大に加え、電動機のメンテナンス等の際に取付部材を取り外す必要がある場合は、ネジを外す作業中に電動機が落下するといった課題を有していた。
【００１０】
そこで本発明は、上記従来の課題を解決するものであり、部品点数を抑えながら、電動機固定部の剛性を上げ、さらにネジを外した後でもそれだけでは電動機の落下に至らないエアカーテン装置を提供することを目的とする。
【課題を解決するための手段】
【００１１】
本発明に係るエアカーテン装置は、外郭と、前記外郭の背面側に設けられた背面板と、前記外郭に設けられた吸込口から吹出口に空気を導くファンと、回転軸と当該回転軸を回転させる駆動部を有し前記ファンの一端に前記回転軸を接続して当該ファンを回転させる電動機と、前記電動機を前記背面板に固定する固定部と、を備え、前記固定部は、板状の本体と、前記本体の平面上に前記駆動部を挿入する挿入開口と、前記平面に対して垂直かつ前記背面板と面平行に当該本体から起立する背面固定板Ａと、前記本体を挟んで前記背面固定板Ａとは逆方向に前記平面に対して垂直かつ前記背面板と平行に当該本体から起立する背面固定板Ｂと、前記背面固定板Ａ及び前記背面固定板Ｂよりも前記背面板方向に突出した鍵状の突出部とを備え、前記背面板は、  前記突出部と係合する係合開口を備えたものであり、これにより所期の目的を達成するものである。
【発明の効果】
【００１２】
本発明によれば、部品点数を抑えながら、電動機固定部の剛性を上げ、ネジを外した後でもそれだけでは電動機の落下に至らないエアカーテン装置を提供することができる。
【図面の簡単な説明】
【００１３】
【図１】本発明に関わるエアカーテン装置の斜視図
【図２】エアカーテン装置の内部構造の斜視図
【図３】固定部の斜視図
【図４】固定部取付け時の斜視図
【図５】従来の電動機取付け構造の斜視図
【図６】従来の電動機取付け構造の斜視図
【発明を実施するための形態】
【００１４】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
（実施の形態）
まず、図１を用いて本発明に係るエアカーテン装置の概略構成について説明する。なお図１は本発明に係るエアカーテン装置１の斜視概略図である。
【００１５】
図１に示すエアカーテン装置１は、壁面８に設置され、外郭４０と、背面板２と、吸込口３と、吹出口４と、ファン５と、電動機７と、固定部６とを備えている。
【００１６】
外郭４０は、エアカーテン装置１の輪郭を形成し、壁面８に対向する面である背面に、壁面８と面平行に背面板２を備えている。
【００１７】
背面板２は、外郭４０の背面側に設けられ、エアカーテン装置１を壁に固定するための壁固定部を備えている。背面板２は、後述の固定部６と係合する係合開口１３を備えている。
【００１８】
係合開口１３は、本実施の形態では、後述の突出部１２を挿入可能な大きさの開口である。
【００１９】
吸込口３は、エアカーテン装置１の設置時において、当該エアカーテン装置１の上面に、当該上面の右端から左端に渡って設けられている。吸込口３は、ファン５の回転によって外郭４０の外部から内部に空気を吸引するための開口である。
【００２０】
吹出口４は、エアカーテン装置１の設置時において、当該エアカーテン装置の下面に、当該下面の右端から左端に渡って設けられている。吹出口４は、外郭４０の下面において、前面よりも背面側に寄せて設けられている。なお、前面とは、外郭４０を構成する略六面において、背面に対向する面である。吹出口４は、ファン５の回転によって外郭４０の内部から外部に空気を排出するための開口である。
【００２１】
電動機７は、外郭４０の左右方向の中央に配置され、電源コードを通して給電される。電動機７は、両側にシャフトを持つ両軸の電動機であり、左右のシャフトに対して、ファン５が接続されている。電動機７に電源が投入されると、ファン５が回転し、吸込口３から空気を流入し、吹出口４から空気を外部に送出する。
【００２２】
ファン５は、回転により吸込口３から吹出口４に空気を導く。ファン５は、左右で同様の形状のものを使用するのが望ましく、貫流ファンやシロッコファンなどが適している。
【００２３】
固定部６は、電動機７を背面板２に固定するための部材であるが、詳細は後述する。
【００２４】
図２は、本発明に係る固定部６周縁の内部構造を抜粋した斜視図である。また、図３は、固定部６の構造を示した斜視図である。
【００２５】
電動機７は、駆動部７１と回転軸７２を備える。
【００２６】
駆動部７１は、電動機７の本体であり、回転軸７２に対して垂直な天面及び底面を備えた円筒形状を有し、回転軸７２を回転駆動させる。駆動部７１は、円筒形状における外周面に、回転軸７２とは垂直かつ回転軸７２から離れる方向にフランジ部７３を備えている。
【００２７】
回転軸７２は、駆動部７１の天面及び底面から垂直方向に突出し、駆動部７１に対して回転駆動する。
【００２８】
固定部６は、図３に示すように、本体２０と、背面固定板Ａ２１と、背面固定板Ｂ２２と、突出部１２と、駆動部挿入開口１１と、電動機支持穴３１と、固定部支持穴３２とを備えている。
【００２９】
本体２０は、矩形の平面を有するすなわち板状部材であり、電動機７の使用中の発熱や、取付強度確保のため、材質は金属が望ましい。本体２０は、駆動部挿入開口１１、背面固定板Ａ２１、背面固定板Ｂ２２、突出部１２を備える。
【００３０】
駆動部挿入開口１１は、本体２０の平面上中央に設けられた円形の開口であり、電動機７の駆動部７１、すなわち円筒形状における外周面を駆動部挿入開口１１の内周に挿入することができる径を有する。
【００３１】
背面固定板Ａ２１は、本体２０よりも小さい矩形の板状部材であり、本体２０の端面を当該背面固定板Ａ２１の端面と一致させて、本体２０の平面に対して垂直に起立する。また、背面固定板Ａ２１の背面板２への固定時には、背面固定板Ａ２１の平面が背面板２と面平行に配置される。
【００３２】
背面固定板Ｂ２２は、本体２０よりも小さい矩形の板状部材であり、背面固定板Ａ２１が設けられている本体２０の端面と同一の端面に、本体２０の平面を挟んで背面固定板Ａ２１とは逆方向に起立する。背面固定板Ｂ２２は、当該背面固定板Ｂ２２の平面が本体２０の平面に対して垂直に設けられている。また、背面固定板Ｂ２２の背面板２への固定時には、背面固定板Ｂ２２の平面が背面板２と面平行に配置される。
【００３３】
突出部１２は、背面固定板Ａ２１及び背面固定板Ｂ２２よりも背面板２方向に突出した鍵状の形状を備えた部材である。言い換えると、突出部１２は、本体２０よりも小さい矩形の板状部材であり、背面固定板Ａ２１や背面固定板Ｂ２２が設けられている本体２０の端面と同一の端面に、背面固定板Ａ２１が起立する方向、又は、背面固定板Ｂ２２が起立する方向と同一の方向に向けて起立する。突出部１２の突出する高さについては、少なくとも背面板２の板厚分とする。
【００３４】
固定部６は、背面固定板Ａ２１と背面固定板Ｂ２２の少なくとも一方に設けられた固定部支持穴３２を用いて背面板２に例えばネジで固定される。固定部６の本体部２０は、平面を駆動部７１に備えられるフランジ部７３に面接触させ、この接触面でネジ止めすることで電動機７を保持する。
【００３５】
駆動部挿入開口１１は、本体部２０の平面上に、駆動部７１を挿入するために任意の形状で設けられる開口である。駆動部７１を駆動部挿入開口１１に挿入し、駆動部挿入開口１１の円周上に設けられた電動機支持穴３１によって駆動部７１のフランジ部７３をネジ固定する構造となる。
【００３６】
続いて、図４を用いて、本発明に係る固定部６を用いて、電動機７を背面板２に固定する構造を説明する。図４は、固定部取付時の斜視図である。
【００３７】
固定部６を背面板２に設置する際には、まず、背面板２上の固定位置よりも回転軸方向にずれた位置である仮固定位置にて係合開口１３に突出部１２を挿入する。次に仮固定位置にて突出部１２を挿入した状態で、固定部６を回転軸方向、つまり本実施の形態では背面固定板Ｂ２２が起立する方向に、当該回転軸と平行にスライドさせる。
【００３８】
スライドにより、固定部６は固定位置に移動し、当該固定位置にて突出部１２と係合開口１３とを係合させる。固定位置において、固定部支持穴３２と背面板支持穴３３の穴位置が合う。この状態で、固定部支持穴３２と背面板支持穴３３とをネジ止めすることで、固定部６が背面板２に固定される。なお、電動機７の固定部６への固定は、固定部６が背面板２に取り付けられた後に行っても、固定部６を背面板２に取り付ける前に行っても良い。
【００３９】
この構造により、メンテナンス等によって固定部支持穴３２と背面板支持穴３３の固定を取り外した際も、突出部１２が背面板２に引っ掛かるため、電動機７の落下に至らない。
【００４０】
また、背面固定板Ａ２１と背面固定板Ｂ２２とを異なる方向に起立させているため、固定部６の左右方向の歪みに強く、すなわち固定部６の剛性を高めることができる。さらに電動機７を支持する固定部６の電動機７による左右方向の振動を抑制できるため、振動によるノイズの発生を抑制することができる。特に本実施の形態に係るエアカーテン装置１は両軸にファン５を備えた両軸電動機を採用しているため、２つのファン５の個体差による振動が生じやすく、この振動に対して抑制効果を発揮することができる。
【００４１】
なお、固定部６の平面は、電動機７の本体である駆動部７１の左右方向、すなわち天面から底面方向における重心位置に位置させて電動機７を固定することが望ましい。つまり固定位置を左右方向の重心位置とすることで、振動をより効率よく抑制することができる。
【００４２】
また、両軸の電動機７において左右方向の重心位置は、駆動部７１の中央に位置することが通常である。つまり、固定部６の固定位置を、一方のファン５の電動機７が接続された端部とは逆の端部から電動機７の駆動部７１、すなわち本体の左右方向における中央部までの距離と他方のファン５の電動機７が接続された端部とは逆の端部から電動機７の本体の左右方向における中央部までの距離とが等しい位置とすることで、振動をより効率よく抑制することができる。
【産業上の利用可能性】
【００４３】
本発明のエアカーテンは建物入り口の外気の遮断目的以外に、貫流ファンを内蔵した送風機器への転用により、室内空気を攪拌させるサーキュレーターとしての用途などにも適用できる。
【符号の説明】
【００４４】
１    エアカーテン装置
２    背面板
３    吸込口
４    吹出口
５    ファン
６    固定部
７    電動機
８    壁面
１１    駆動部挿入開口（挿入開口に該当）
１２    突出部
１３    係合開口
２０    本体
２１    背面固定板Ａ
２２    背面固定板Ｂ
３１    電動機支持穴
３２    固定部支持穴
３３    背面板支持穴
４０    外郭
７１    駆動部
７２    回転部
７３    フランジ部
１０１    外枠
１０２    半円状の切欠部
１０４    電動機
１０５    羽根車
１１１    取付金具
１１２    エアカーテン装置
１１３    壁面
１１５    突出部
１１７    第１の取付部材
１１９    切欠部
１２０ａ    第２の取付部材ａ
１２０ｂ    第２の取付部材ｂ
１２０ａ１    第２の取付部材ａ短辺部
１２０ｂ１    第２の取付部材ｂ短辺部
１２１    取付部材
【図１】
2018071877.tif 000003
【図２】
2018071877.tif 000004
【図３】
2018071877.tif 000005
【図４】
2018071877.tif 000006
【図５】
2018071877.tif 000007
【図６】
2018071877.tif 000008